(57)【要約】【課題】建物の外壁部２０に装飾部材６０を安定的に吊り下げ固定する。【解決手段】裏面に奥側が互いに近接する方向に傾斜した２条の係合溝６４ａ，６４ｂからなる吊り下げ用溝６４を形成した装飾部材６０を用いる。建物の外壁部に、２条の係合溝６４ａ，６４ｂを把持するようにして係合できる２条の係止爪５２，５３を持つ吊り下げ用留め付け金具５０を固定する。建物側に固定した留め付け金具５０に装飾部材６０を横張り状態および縦張り状態で、順次、吊り下げ固定しながら、留め付けていく。【選択図】図５
2006207298.tif 000002
【特許請求の範囲】
【請求項１】
建物外壁部への装飾部材の施工構造であって、
装飾部材として奥側が互いに近接する方向に傾斜した２条の係合溝からなる吊り下げ用溝を裏面に備えているものを用い、
留め付け金具として装飾部材の前記吊り下げ用溝に係合する２条の係止爪を備えたものを用い、
前記留め付け金具は建物外壁部へ固定されており、該固定された留め付け金具の２条の係止爪に前記吊り下げ用溝の２条の係合溝を係合させた状態で前記装飾部材が建物外壁部に吊り下げ固定されていることを特徴とする建物外壁部への装飾部材の施工構造。
【請求項２】
装飾部材として、前記構成の第１の吊り下げ用溝が長辺に沿うようにして形成されている装飾部材が用いられていることを特徴とする請求項１に記載の建物外壁部への装飾部材の施工構造。
【請求項３】
装飾部材として、前記構成の第２の吊り下げ用溝が左右の短辺に沿うようにして２つ形成されている装飾部材が用いられており、前記留め付け金具の係止爪はそのいずれか一方の第２の吊り下げ用溝にのみ係合していることを特徴とする請求項１に記載の建物外壁部への装飾部材の施工構造。
【請求項４】
装飾部材として、請求項２に記載の第１の吊り下げ用溝と請求項３に記載の第２の吊り下げ用溝の双方を備えた装飾部材が用いられており、前記留め付け金具はそのいずれか１つの吊り下げ用溝にのみ係合していることを特徴とする請求項１に記載の建物外壁部への装飾部材の施工構造。
【請求項５】
建物の外壁部における窓等の開口部の周囲への装飾部材の施工構造であって、
装飾部材として、裏面に、奥側が互いに近接する方向に傾斜した２条の係合溝からなる第１の吊り下げ用溝が長辺に沿うようにして形成され、同様な２条の係合溝からなる第２の吊り下げ用溝が左右の短辺に沿うようにして２つ形成されている装飾部材を用い、
留め付け金具として、装飾部材の裏面に形成した前記第１と第２の吊り下げ用溝のいずれかに係合する２条の係止爪を備えたものを用い、
前記開口部の上縁部分および下縁部分には、前記留め付け金具がその係止爪を上縁および下縁に平行な姿勢で上縁および下縁に沿って固定されており、前記開口部の右側縁部分および左側縁部分には前記留め付け金具が係止爪を右側縁および左側縁に直交する姿勢で右側縁および左側縁に沿って固定されており、
上縁に沿って固定した留め付け金具には前記第１の吊り下げ用溝を係合爪に係合させた姿勢で装飾部材が横張り状態で吊り下げ固定されており、下縁に沿って固定した留め付け金具には同じ形状の装飾部材が上下方向を反転させかつ第１の吊り下げ用溝を係合爪に係合させた姿勢で横張り状態で吊り下げ固定されており、
右側縁側に沿って固定した留め付け金具には前記第２の係合溝の一方を係合爪に係合させた姿勢で装飾部材が縦張り状態で吊り下げ固定されており、左側縁側に沿うようにして固定した留め付け金具には同じ形状の装飾部材が上下方向を反転させかつ第２の係合溝の他方を係合爪に係合させた姿勢で縦張り状態で吊り下げ固定されている、
ことを特徴とする建物外壁部への装飾部材の施工構造。
【請求項６】
建物外壁部へ留め付ける矩形状の装飾部材であって、裏面に、奥側が互いに近接する方向に傾斜した２条の係合溝からなる第１の吊り下げ用溝が長辺に沿って形成されており、同様な２条の係合溝からなる第２の吊り下げ用溝が左右の短辺に沿って２つ形成されていることを特徴とする装飾部材。
【発明の詳細な説明】
【技術分野】
【０００１】
本発明は、建物外壁部への装飾部材の施工構造と、そこに用いる装飾部材に関する。
【背景技術】
【０００２】
従来から、天然石板や窯業板などである長尺矩形状の外壁材を、建物の外壁面に留め付け金具を用いて留め付けることが行われている。近年、そのような外壁材に高い装飾性や外観意匠性が求められるようになっており、重厚感を出すために、厚みのある外壁材が装飾板材として用いられることが多くなっている。本出願人は、そのような厚みのある装飾部材（外壁材）を、建物の窓などである開口部周囲の外壁面に良好に留め付けることができるようにした施工構造として、裏面に吊り下げ用の係合溝を形成した装飾部材と、該係合溝に係合する係止爪を持つ吊り下げ具とを用い、建物側に固定した吊り下げ具に対して、装飾部材を吊り下げ状態で留め付けるようにした装飾部材の施工構造を既に出願している（特許文献１参照）。
【０００３】
特許文献１に記載の施工構造では、図９に示すように、装飾部材１として、裏面に、上下の長辺に平行な２条の係合溝２、３と、左右の短辺に平行な２条の係合溝４、５とを形成した装飾部材１を用い、留め付け金具６として、前記係合溝２、３、４、５のいずれか１つに係合する１つの係止爪７を下端に備えたものを用いる。図９に示すように、開口部Ｐには窓枠サッシ２１が取り付けてあり、その上縁側に、留め付け金具６を、建物外壁部（外壁材あるいはモルタル壁）２０にビス２２などを用いて、その係止爪７が上縁に平行となるようにして固定し、固定した留め付け金具６の係止爪７に、装飾部材１の上下の長辺に平行な２条の係合溝２、３のいずれか一方（図示のものでは係合溝３）を係合させることにより、開口部Ｐの上縁側に、装飾部材１は横張り状態で吊り下げ固定される。
【０００４】
開口部Ｐの下縁側にも、同じ留め付け金具６を、その係止爪７が窓枠サッシ２１の下縁に平行となるように固定する。そして、同じ装飾部材１を上下反転させた姿勢とし、固定した留め付け金具６の係止爪７に、他方側の係合溝２を係合させる。それにより、開口部Ｐの下縁側にも同じ装飾部材１が上下方向を反転させた姿勢で横張り状態に吊り下げ固定される。
【０００５】
開口部Ｐの左右の側縁側には、図１０に示す幅の狭い留め付け金具６ａを、その係止爪７ａが左右の側縁に直交する姿勢で固定する。そして、図示しないが、同じ装飾部材１を立てた姿勢とし、左右の短辺に平行に形成された２条の係合溝４、５のいずれか一方を、留め付け金具６ａの係止爪７ａに係合させる。それにより、開口部の一方の側縁側に、装飾部材１が縦張り状態で吊り下げ固定される。他方の側縁側にも、同様にして留め付け金具６ａを固定した後、同じ装飾部材１を上下方向に反転させて、係合溝４、５の他方側を留め付け金具６ａの係止爪７ａに係合させる。それにより、同じ装飾部材１を、左右反転させた姿勢で他方の側縁側に、やはり縦張り状態で吊り下げ固定することができる。
【０００６】
上記のように、同じ形態の装飾部材１を用いて、開口部Ｐの上下縁にはそれを横張り状態で、左右側縁には縦張り状態で、それぞれ吊り下げ固定することができるので、開口部廻りへの装飾部材の取り付け作業は大きく簡素化される。また、この施工構造は、開口部廻りのみならず、バルコニーの上端縁のような直線状のところにも適用可能であり、装飾部材を横一直線状に容易に吊り下げ固定することもできる。
【特許文献１】特開２００３−２７８３５４号公報
【発明の開示】
【発明が解決しようとする課題】
【０００７】
特許文献１に記載の建物外壁部への装飾部材の施工構造は、同じ形状の装飾部材でもって、開口部の４周を容易に装飾できる利点がある。しかし、建物外壁部への装飾部材の留め付け部は、裏面に形成した１つの係合溝と、そこに係合する留め付け金具の１つの係止爪との係合部だけであり、やや安定性に欠ける。そのために、実際の施工に当たっては、図９に示すように、装飾部材１の裏面と建物外壁部２０との間に部分的に接着剤２３を介在させ、接着剤による固定力も併用するようにしている。しかし、装飾部材１の留め付けに際して、接着剤の塗布を逐一行うことは大きな作業量となるので、接着剤を用いることなく、安定した吊り下げ固定状態を得ることができる施工構造が望まれる。
【０００８】
本発明は、上記のような事情に鑑みてなされものであり、装飾部材をより安定した姿勢で建物の外壁部へ吊り下げ固定できるようにした、さらに改良された建物外壁部への装飾部材の施工構造を提供することを目的とする。また、そこに用いる装飾部材を提供することを目的とする。
【課題を解決するための手段】
【０００９】
本発明による建物外壁部への装飾部材の施工構造は、装飾部材として奥側が互いに近接する方向に傾斜した２条の係合溝からなる吊り下げ用溝を裏面に備えているものを用い、留め付け金具として装飾部材の前記吊り下げ用溝に係合する２条の係止爪を備えたものを用い、前記留め付け金具は建物外壁部へ固定されており、該固定された留め付け金具の２条の係止爪に前記吊り下げ用溝の２条の係合溝を係合させた状態で前記装飾部材が建物外壁部に吊り下げ固定されていることを特徴とする。
【００１０】
本発明において、装飾部材には、従来から建物の外壁材として使用されている実質的に矩形状をなす窯業系外壁材をすべて用いることができるが、重厚感を出すために厚みの厚くされた窯業系外壁材を装飾部材として用いることは、特に有効である。表面柄部も任意であり制限はない。
【００１１】
施工に際しては、建物外壁部の装飾部材を留め付けようとする場所に、留め付け金具をビス等適宜の手段で固定し、固定した留め付け金具の２条の係止爪に対して、装飾部材の裏面に形成した吊り下げ用溝の２条の係合溝を係合させる。この係合作業は、横から係止爪に沿って装飾部材をスライドさせる方法でもよいが、作業環境による制約をなくすために、固定した留め付け金具の正面側から行うことが望ましく、２条の係合溝をいくぶん幅広に形成し、かつ係合溝の傾斜角度と係止爪の傾斜角度とを適宜調整することにより、それを容易に行うことができる。
【００１２】
吊り下げ用溝を形成する２条の係合溝は一定の間隔を有して平行に走っており、かつ奥側が互いに近接する方向に傾斜しているので、留め付け金具の２条の係止爪は２条の係合溝を上下から把持したような係合状態となる。それにより、当該装飾部材は、建物壁面側にしっかりと吊り下げ状態で固定され、接着剤の接着力に依存することなく、所望の安定した固定状態が得られる。それにより、接着剤の塗布作業を省略することができる。もちろん、状況によっては、接着剤による固定力を併用することもできる。
【００１３】
装飾部材として、留め付けられる場所に応じて、前記構成の第１の吊り下げ用溝が好ましくは左右の短辺のほぼ中央部に長辺に沿うようにして形成されているもの、前記構成の第２の吊り下げ用溝が左右の短辺に沿うようにして２つ形成されているもの、あるいは、第１の吊り下げ用溝と第２の吊り下げ用溝の双方を備えたもの、などを用いることができる。
【００１４】
第１の吊り下げ用溝が長辺に沿って形成されている装飾部材は、横張りに適した装飾部材であり、例えば窓のような開口部の上縁と下縁に沿って横張りするときに、同じ形状の装飾部材を１８０゜反転するだけで双方の位置に吊り下げ固定することが可能となる。また、バルコニーの上端部を含んで建物壁を一周するような水平方向の装飾部分に対しても、この形態の装飾部材は好適に用いられる。
【００１５】
第２の吊り下げ用溝が左右の短辺に沿うようにして２つ形成されている装飾部材は、縦張りに適した装飾部材であり、２つの第２の吊り下げ用溝のいずれか一方を留め付け金具の係止爪に係合させることにより、縦張り状態での吊り下げ固定が可能となる。また、例えば窓のような開口部の左右の側縁に沿って縦張りするときには、同じ形状の装飾部材を１８０゜反転して、第２の吊り下げ用溝の他方側に留め付け金具の係止爪に係合することにより、左右側縁の双方の位置に、同じ装飾部材を縦張り状態で吊り下げ固定することが可能となる。
【００１６】
第１の吊り下げ用溝と第２の吊り下げ用溝の双方を備えた装飾部材を用いる場合には、同じ装飾部材を１８０゜あるいは９０゜に反転させることによって、窓等の開口部の４周全部に吊り下げ固定することが可能となる。
【００１７】
すなわち、本発明は、建物の外壁部における窓等の開口部の周囲への装飾部材の施工構造であって、装飾部材として、裏面に、奥側が互いに近接する方向に傾斜した２条の係合溝からなる第１の吊り下げ用溝が長辺に沿うようにして形成され、同様な２条の係合溝からなる第２の吊り下げ用溝が左右の短辺に沿うようにして２つ形成されている装飾部材を用い、留め付け金具として、装飾部材の裏面に形成した前記第１と第２の吊り下げ用溝のいずれかに係合する２条の係止爪を備えたものを用い、前記開口部の上縁部分および下縁部分には、前記留め付け金具がその係止爪を上縁および下縁に平行な姿勢で上縁および下縁に沿って固定されており、前記開口部の右側縁部分および左側縁部分には前記留め付け金具が係止爪を右側縁および左側縁に直交する姿勢で右側縁および左側縁に沿って固定されており、上縁に沿って固定した留め付け金具には前記第１の吊り下げ用溝を係合爪に係合させた姿勢で装飾部材が横張り状態で吊り下げ固定されており、下縁に沿って固定した留め付け金具には同じ形状の装飾部材が上下方向を反転させかつ第１の吊り下げ用溝を係合爪に係合させた姿勢で横張り状態で吊り下げ固定されており、右側縁側に沿って固定した留め付け金具には前記第２の係合溝の一方を係合爪に係合させた姿勢で装飾部材が縦張り状態で吊り下げ固定されており、左側縁側に沿うようにして固定した留め付け金具には同じ形状の装飾部材が上下方向を反転させかつ第２の係合溝の他方を係合爪に係合させた姿勢で縦張り状態で吊り下げ固定されていることを特徴とする建物外壁部への装飾部材の施工構造を開示する。
【００１８】
上記の施工構造において、横張り用の留め付け金具は長尺物を用いることができ、建物外壁部へ容易に安定的に固定することができる。しかし、縦張り用の留め付け金具は装飾部材の短辺幅よりも狭いものとなるので、それを外壁部に固定したときに充分な安定性が得られない場合がある。そのような場合には、上下方向に長さの長い基板を持ち、その基板内に２つの係止爪が形成された形状の留め付け金具を用いることが推奨される。この形態の縦張り用留め付け金具を用いることにより、縦張り状態の装飾部材を安定して吊り下げ固定することができる。
【００１９】
さらに本発明は、上記の建物外壁部への装飾部材の施工構造に用いる建物外壁部への矩形状の装飾部材として、裏面に、奥側が互いに近接する方向に傾斜した２条の係合溝からなる第１の吊り下げ用溝が左右の短辺のほぼ中央部に長辺に沿うようにして形成されており、さらに、同様な２条の係合溝からなる第２の吊り下げ用溝が左右の短辺に沿うようにして２つ形成されていることを特徴とする装飾部材をも開示する。
【発明の効果】
【００２０】
本発明によれば、厚みがあり重量感がある装飾部材であっても、接着剤に依存することなく、しっかりと建物外壁部あるいは建物開口部の周辺部に吊り下げ状態で留め付け固定することが可能となる。
【発明を実施するための最良の形態】
【００２１】
以下、図面を参照しながら、本発明による建物外壁部への装飾部材の施工構造およびそこに用いる装飾部材を、実施の形態に基づき説明する。図１は、本発明により装飾部材を施工した建物の外観斜視図であり、建物の外壁部には全体にわたり窯業系外壁材（サイディングボード）２０が張り付け施工されており、その外壁部の一部に、外壁材２０と異なった表面柄部を持ち厚みが厚くされた窯業系外壁材が、装飾部材６０、７０、８０、９０として固定されている。なお、建物外壁部は、外壁材２０の張り付けに代えて、モルタル壁であってもよく、既存のモルタル壁に対して、本発明による装飾部材の施工構造を適用することも可能である。
【００２２】
図１に示される外壁部分Ａは、その建物の窓の開口部の周囲部分であり、その部分に、本発明による施工構造が後記するようにして適用され、装飾部材６０が吊り下げ固定される。また、外壁部分Ｂは、バルコニーの上端部を含んで建物外壁を一周する水平方向の装飾部分であり、この部分にも、本発明による装飾部材の施工構造が適用され、装飾部材７０，８０が吊り下げ固定される。建物のコーナー部である外壁部分、すなわち外壁面が直角に交わる出隅部分には、適宜の装飾部材９０が適宜の手段により留め付けられている。
【００２３】
以下、外壁部分Ａの領域を例として、本発明による装飾部材の施工構造を説明する。図２は留め付けようとする装飾部材６０の一例を示す斜視図であり、図２ａは表面６１側から見た図であり、図２ｂは裏面６２側から見た図である。装飾部材６０は全体として矩形状をなしており、図示される装飾部材では、必須のものではないが、表面６１側に適宜の凹凸模様を形成する一方、上端（４辺の内の一辺）６３にも上方向に向う適宜の凹凸を形成して装飾的な形状を具現している。裏面６２は平坦面とされている。
【００２４】
裏面６２には、１つの第１の吊り下げ用溝６４と、２つの第２の吊り下げ用溝６５，６６が形成されている。第１の吊り下げ用溝６４は、装飾部材６０の左右の短辺６０ａのほぼ中央部に長辺６０ｂに沿うようにして形成されており、奥行き側（すなわち、表面６１側）の端部６４ｃが互いに近接する方向に等しい角度（この例では裏面６２の平面から６０゜）で傾斜した平行な２条の係合溝６４ａ，６４ｂで構成される。第２の吊り下げ用溝６５，６６も、同様に奥行き側の端部が互いに近接する方向に等しい角度（この例では裏面６２の平面から６０゜）で傾斜した平行な２条の係合溝６５ａ，６５ｂおよび６６ａ，６６ｂで構成されており、一方の第２の吊り下げ用溝６５は、一方の短辺６０ａ１から一定距離だけ内側に入った位置において、短辺６０ａ１に平行に形成されており、また、他方の第２の吊り下げ用溝６６は、他方の短辺６０ａ２から同じ距離だけ内側に入った位置において、やはり短辺６０ａ２に平行に形成されている。
【００２５】
なお、第２の吊り下げ用溝６５，６６の上端は、好ましくは図示のように、装飾部材６０の上端６３に突き抜けない構成とされる。これは、装飾部材６０の上端６３は、外壁部に留め付けたときに外部に露出した状態となるので、その部分の意匠性を低下させないためである。
【００２６】
図３は、上記した装飾部材６０を横張り状態に吊り下げ固定するときに用いる第１の留め付け金具（横張り用留め付け金具）５０の一例を示している。横張り用留め付け金具５０は、ガルタイト鋼板等の適宜の金属板から加工され、基板５１と、基板５１の下端から屈曲して上前方に傾斜する下係止爪５２と、基板５１の上端から屈曲して下前方に傾斜する上係止爪５３とを備える。図３ｂに示すように、下係止爪５２と上係止爪５３の基板５１に対する傾斜角度は異なっており、下係止爪５２の傾斜角度は、装飾部材６０の裏面６２に形成した２条の係合溝６４ａおよび６４ｂの傾斜角度（６０゜）よりも少し大きな傾斜角度（この例では６２゜）とされ、上係止爪５３の傾斜角度は２条の係合溝の傾斜角度よりもすこし小さな傾斜角度（この例では５８゜）とされている。また、基板５１の上下方向の幅は、前記２条の係合溝６４ａ、６４ｂの裏面６２上での間隔（各溝の中央部間の間隔）とほぼ同じとされている。図示しないが、場合によっては、外壁部への固定を安定させるために、基板５１を下係止爪５２と上係止爪５３のいずれか一方または双方からさらに上下方向に延長した形状としてもよい。
【００２７】
後記するように、下係止爪５２は吊り下げ固定する装飾部材６０の重量を主に支持する部分となるので、図示のように２重に鋼板を折り曲げて強度を持たせている。また、基板５１には、建物側にビス等で固定するときに用いるビス穴５４が適数だけ形成されているが、ビス穴５４を省略して、施工時にビスあるいは釘等を直接基板５１に打ち込むことにより固定するようにしてもよい。
【００２８】
次に、横張り用留め付け金具５０を用いて装飾部材６０を建物の窓の開口部Ｐの上縁部分と下縁部分に横張り施工した施工構造の一例を、図４〜図６を用いて説明する。図４は開口部Ｐの上縁側の一部を示す斜視図であり、図５は図４のＶ−Ｖ断面図である。また、図６は開口部Ｐの下縁側の一部を示す斜視図である。この例において、建物の窓の開口部Ｐの周囲の外壁部（外壁板あるいはモルタル壁）２０は、窓枠サッシ２１が予めはめ込み固定されており、窓枠サッシ２１の上縁と下縁に装飾部材６０を横張り状態で留め付けている。
【００２９】
施工に際しては、最初に、横張り用留め付け金具５０を窓枠サッシ２１の上縁に沿うようにして横方向に平行に位置させ、ビス穴５４にビス２２を挿入してネジ込み固定する。横張り用留め付け金具５０の取り付け高さは、その係止爪５２，５３を利用して装飾部材６０を横張り状態に吊り下げ固定したときに、装飾部材６０の下側の平坦な長辺６０ｂが窓枠サッシ２１の上縁に衝接するか、そのわずか上方に位置する高さとなるようにされる。なお、横張り用留め付け金具５０は適宜の長さに形成されるが、窓枠サッシ２１の横幅が長い場合には、複数の横張り用留め付け金具５０を横方向に並べて固定し、短い場合にはそれに合うように、現場で適宜の長さに切断する。
【００３０】
固定した横張り用留め付け金具５０の表面側に、装飾部材６０の裏面６２を上端縁６３を上位とした姿勢で対向させ、下方から上方斜め方向に押し上げて、上係止爪５３に対して、第１の吊り下げ用溝６４を構成する上方の係合溝６４ａを引っ掛けた姿勢とする。その姿勢からさらに上方に押し上げた後、装飾部材６０を横張り用留め付け金具５０側に押し付けると、下方の係合溝６４ｂ内に、下係止爪５２が擦るようにして入り込む。前記したように、上係止爪５３の傾斜角度は係合溝６４ａの傾斜角度よりも少し小さくされており、下係止爪５２の傾斜角度は係合溝６４ｂの傾斜角度よりもすこし大きくされているので、この係合作業は容易であり、かつ、係合後は、装飾部材６０の第１の吊り下げ用溝６４は２つの係止爪５２，５３によって上下からしっかりと把持された姿勢となるので、装飾部材６０はこのままで安定的に吊り下げ固定された状態となる。
【００３１】
上記のようであり、装飾部材６０の外壁部への留め付けに接着剤を用いなくても、安定した吊り下げ固定状態が得られる。もちろん、吊り下げ固定に当たって、予め変成シリコーン系等の接着剤２３を装飾部材６０の裏面６２に適宜間隔で塗布して置き、前記吊り下げ固定とあわせて、接着剤による接着力を、外壁材２０に対する装飾部材６０の留め付け力として併用することもできる。
【００３２】
図６は、横張り用留め付け金具５０を用いて、同じ装飾部材６０を建物の窓の開口部Ｐの下縁部分に横張り施工した施工構造の一例を示している。この場合も、上記した窓の開口部Ｐの上縁部分に施工した場合と同じようにして行うことができる。すなわち、上記と同じ横張り用留め付け金具５０を窓枠サッシ２１の下縁に沿うようにして横方向に平行に位置させ固定する。そして、上記と同じ装飾部材６０を、図６に示すように１８０゜上下に反転させて、その上端６３の凹凸部が下方側にくる姿勢とする。そして、その姿勢で上位に位置することとなる係合溝６４ｂに、固定した横張り用留め付け金具５０の上係止爪５３を引っ掛け、その姿勢からさらに上方に押し上げた後、装飾部材６０を横張り用留め付け金具５０側に押し付ける。それにより、下位に位置する係合溝６４ａ内に、下係止爪５２が入り込み、上縁部分と同様にして、装飾部材６０は下縁部分に横張り状態で吊り下げ固定される。この場合にも、必要な場合には、接着剤による固定力を併用することができる。
【００３３】
次に、同じ装飾部材６０を建物の窓の開口部Ｐの左右の側縁部分に縦張り施工する場合の施工構造の一例を、図７，図８を用いて説明する。この場合に、留め付け金具として、上記した横張り用留め付け金具５０を短い横幅に切断したものを縦張り用留め付け金具として用いることもできるが、幅狭であることから、外壁部への固定に安定性を欠く場合があるので、好ましくは、図８に示したような第２の留め付け金具が縦張り用留め付け金具５５として用いられる。縦張り用留め付け金具５５は、前記横張り用留め付け金具５０と同様に、ステンレス等の適宜の金属板から加工され、上下方向に長い基板５６と、基板５６の下端から屈曲して上前方に傾斜する下係止爪５７と、基板５６の中程から一部を切り起こして前方に屈曲させ下前方に傾斜する上係止爪５８とを備える。
【００３４】
下係止爪５７と上係止爪５８の基板５６に対する傾斜角度は、上記した横張り用留め付け金具５０の場合と同様に異なっており、図８ｂに示すように、下係止爪５７の傾斜角度は、装飾部材６０の裏面６２に形成した、第２の吊り下げ用溝６５（６６）を構成する２条の係合溝６５ａ（６６ａ）および６５ｂ（６５ｂ）の傾斜角度（この例では６０゜）よりも少し大きな傾斜角度（この例では６２゜）とされ、上係止爪５８の傾斜角度は前記２条の係合溝の傾斜角度よりもすこし小さな傾斜角度（この例では５８゜）とされている。また、下係止爪５７と上係止爪５８との間隔は、前記２条の係合溝６５ａ（６６ａ）および６５ｂ（６５ｂ）の裏面６２上での間隔（各溝の中央部間の間隔）とほぼ同じとされている。また、横張り用留め付け金具５０と同様、下係止爪５７は２重に鋼板を折り曲げて強度を持たせている。
【００３５】
さらに、基板５６には、建物側にビス等で固定するときに用いるビス穴５９が適数だけ形成されているが、この場合も、ビス穴５９を省略し、施工時にビスあるいは釘等を直接基板５６に打ち込んで固定するようにしてもよい。
【００３６】
縦張り用留め付け金具５５を用いて、横張りに使用した装飾部材６０を建物の窓の開口部Ｐ（窓用サッシ２１）の右側縁に沿って縦張り施工する場合は、図７に示すように、窓の開口部Ｐの右側縁近傍の所要の高さ位置に、前記縦張り用留め付け金具５５をその係止爪５７，５８が右側縁に直交する姿勢として、ビスなどを用いて固定する。そして、装飾部材６０を例えば上縁側に横張りされている姿勢から時計方向に９０゜回転させて立てた姿勢とし、その上端６３の凹凸部が右側方に、その平坦な下縁６０ｂ側が開口部Ｐ（窓用サッシ２１）の右側縁に衝接あるいは極近接した状態として、その裏面側を縦張り用留め付け金具５５に対向させる。
【００３７】
そして、横張りのときと同様に、一方の第２の吊り下げ用溝６６を構成する上位の係合溝６６ａを、固定した縦張り用留め付け金具５５の上係止爪５８に引っ掛け、その姿勢からさらに上方に押し上げた後、装飾部材６０を縦張り用留め付け金具５５側に押し付ける。それにより、下位に位置する係合溝６６ｂ内に、下係止爪５７が入り込み、装飾部材６０は縦張りの状態で開口部Ｐの右側縁部に吊り下げ固定される。この場合にも、必要な場合には、接着剤２３による固定力を併用することができる。
【００３８】
なお、図示は省略するが、縦張り用留め付け金具５５を用いて装飾部材６０を建物の窓の開口部の左側部分に縦張り施工することができる。その場合には、右側部分と同様にして、縦張り用留め付け金具５５を開口部Ｐの左側縁近傍の所要の高さ位置に固定する。そして、装飾部材６０を例えば上縁側に横張りされている姿勢から反時計方向に９０゜回転させて立てた姿勢とし、その平坦な下縁６０ｂ側が開口部Ｐ（窓用サッシ２１）の左側縁に衝接あるいは極近接した状態とする。そして、他方の第２の吊り下げ用溝６５を構成する上位の係合溝６５ａを、固定した縦張り用留め付け金具５５の上係止爪５８を引っ掛けた状態で装飾部材６０を縦張り用留め付け金具５５側に押し付ける。それにより、下位に位置する係合溝６５ｂ内に、下係止爪５７が入り込み、装飾部材６０は縦張りの状態で開口部Ｐの左側縁部に吊り下げ固定される。もちろん、この場合にも、必要な場合には、接着剤による固定力を併用することができる。
【００３９】
なお、図示しないが、例えば図１の装飾領域である外壁部分Ｂでのように、横張りのみを目的とする場合には、装飾部材として裏面に第１の吊り下げ用溝６４のみを形成した装飾部材７０を用いればよく、また、縦張りのみを目的とする場合には、第２の吊り下げ用溝６５，６６の双方またはいずれか一方のみを裏面に形成した装飾部材を用いればよい。
【００４０】
さらに、図２に示した装飾部材において、第１の吊り下げ用溝６４を短手方向のほぼ中央部に形成したのは、同じ装飾部材を上縁側と下縁側とに吊り下げ固定するときに、横張り用留め付け金具の位置決めを容易にするためであり、また、２つの第２の吊り下げ用溝６５，６６を短辺からほぼ等しい距離だけ内側の位置に形成したのも、同じ装飾部材を右縁側と左縁側とに吊り下げ固定するときに、縦張り用留め付け金具の位置決めを容易にするためであって、それぞれそのような位置に形成することが本発明の所期の目的を達成するのに必須の構成でないことは当然である。
【図面の簡単な説明】
【００４１】
【図１】本発明による建物外壁部への装飾部材の施工構造が施工されている建物の外観を示す斜視図。
【図２】装飾部材の一例を示しており、図２ａは表面側から見た斜視図、図２ｂは裏面側から見た斜視図である。
【図３】横張り用留め付け金具を示しており、図３ａは斜視図、図３ｂは側面図である。
【図４】図２に示す装飾部材を建物の窓の開口部の周囲の上縁部分に横張り施工した施工構造を示す図。
【図５】図４のＶ−Ｖ線による断面図。
【図６】図２に示す装飾部材を建物の窓の開口部の周囲の下部部分に横張り施工した施工構造を示す図。
【図７】図２に示す装飾部材を建物の窓の開口部の周囲の右側部部分に縦張り施工した施工構造を示す図。
【図８】縦張り用留め付け金具を示しており、図８ａは斜視図、図８ｂは側面図である。
【図９】従来法により飾部材を建物の窓の開口部の周囲の上縁部分に横張り施工した施工構造を示す図４に相当する図。
【図１０】従来法で用いられる縦張り用留め付け金具を示す図。
【符号の説明】
【００４２】
２０…外壁材、５０…留め付け金具（横張り用）、５５…留め付け金具（縦張り用）５１、５６…基板、５２、５７…下係止爪、５３、５９…上係止爪、６０…装飾部材、６０ａ…装飾部材の左右の短辺、６０ｂ…装飾部材の平坦な下辺、６３…装飾部材の凹凸のある上端、６４…第１の吊り下げ用溝、６５，６６…第２の吊り下げ用溝、６４ａ，６４ｂ、６５ａ，６５ｂ、６６ａ，６６ｂ、…係合溝、６４ｃ…係合溝の先端
【図１】
2006207298.tif 000003
【図２】
2006207298.tif 000004
【図３】
2006207298.tif 000005
【図４】
2006207298.tif 000006
【図５】
2006207298.tif 000007
【図６】
2006207298.tif 000008
【図７】
2006207298.tif 000009
【図８】
2006207298.tif 000010
【図９】
2006207298.tif 000011
【図１０】
2006207298.tif 000012